(57)【要約】      （修正有）【課題】従来よりも個々の色の発色が良く、かつ、発光の表現のバリエーションも豊富な発光体を提供する。【解決手段】発光体１００は、内部に、光を放射する発光部１０３と、発光部１０３の発光条件を制御する制御部１０４と、発光部１０３および制御部１０４に電力を供給する電源部１０５とを有する。発光部１０３は、赤色の光を放射する第１の発光ダイオードと、青色の光を放射する第２の発光ダイオードと、緑色の光を放射する第３の発光ダイオードと、白色の光を放射する第４の発光ダイオードとを含む。【選択図】図４
2020123576.tif 000002
【特許請求の範囲】
【請求項１】
筒状の胴体部分、および、該胴体部分と連結し、利用者が保持するための保持部分を備える発光体であって、
前記発光体は、
光を放射する発光部と、
少なくとも前記発光部に電力を供給する電源部と、
を有し、
前記発光部は、
赤色の光を放射する第１の発光ダイオードと、
青色の光を放射する第２の発光ダイオードと、
緑色の光を放射する第３の発光ダイオードと、
白色の光を放射する第４の発光ダイオードと
を含み、
前記保持部分は、前記発光部の発光条件の切替え指示を行う指示部を備え、
前記発光条件とは、前記第１の発光ダイオード、前記第２の発光ダイオード、前記第３の発光ダイオード、および前記第４の発光ダイオードそれぞれの点灯および消灯を含み、
前記指示部は、前記保持部分の底面に設けられ、かつ全体で円形である２つのボタンで構成されるとともに、利用者に押される回数や長さによって、前記発光部の前記発光条件を切替えるように指示し、
前記指示部を構成する前記２つのボタンはそれぞれ、半円形である発光体。
【請求項２】
前記指示部を構成する前記２つのボタンのうち、一のボタンが押されると予め設定された色の順番に沿って発光色を変化させ、他のボタンが押されると前記予め設定された色の順番を逆送りにして発光色を変化させる請求項１に記載の発光体。
【請求項３】
前記予め設定された色の順番を、使用者が指定する新たな色の順番にカスタム設定する設定モードを備え、
前記指示部を構成する前記２つのボタンの両方が５秒以上押されると、前記設定モードとなることを特徴とする請求項２に記載の発光体。
【請求項４】
前記予め設定された色の順番を、使用者が指定する新たな色の順番にカスタム設定する設定モードを備え、
前記設定モードにおいて、前記指示部を構成する前記２つのボタンのうち、一のボタンが押されると、予め設定された色の順番に沿って発光色を変化させ、他のボタンが押されると、直近の発光色を、前記新たな色の順番のひとつとして設定することを特徴とする請求項２又は３に記載の発光体。
【請求項５】
さらに、前記第４の発光ダイオードの照度を調整することを特徴とする請求項１〜４のいずれか一項に記載の発光体。
【請求項６】
前記胴体部分は、前記保持部分と連結される側とは反対側に、前記発光部が放射する光を遮蔽するヘッド部を有し、
前記ヘッド部は、前記発光部が放射する光を透過する、図形形状からなる切り込み部を有することを特徴とする請求項１〜５のいずれか一項に記載の発光体。
【請求項７】
前記胴体部分は、内部に、装飾シートを備えることを特徴とする請求項１〜６のいずれか一項に記載の発光体。
【請求項８】
前記胴体部分は、前記保持部分から着脱可能であることを特徴とする請求項１〜７のいずれか一項に記載の発光体。
【請求項９】
前記保持部分は、内部に、前記発光部が発する熱を散熱する散熱部を有することを特徴とする請求項１〜８のいずれか一項に記載の発光体。
【請求項１０】
前記保持部分は、外部に、前記散熱部に通じるように配設された孔部を有することを特徴とする請求項９に記載の発光体。
【請求項１１】
前記第４の発光ダイオードは、蛍光体方式で白色を表現する発光ダイオードである請求項１〜１０のいずれか一項に記載の発光体。
【発明の詳細な説明】
【技術分野】
【０００１】
本発明は、発光体に関し、特に、複数の光源を有する発光体に関する。
【背景技術】
【０００２】
近年、コンサート等の暗所で行われるイベントにおいて、観客が種々の発光体を振って出演者に声援を送る光景が一般的になってきた。
【０００３】
これに伴い、単色の発光体では物足りず、出演者のテーマカラーに合わせて発光色を変えたい等、発光体の機能に対する利用者の要求も高まりつつある。
【０００４】
これに対し、特許文献１には、赤、緑および青の発光ダイオードを備える棒状のライトの技術が開示されている。
【０００５】
ところが、多種多様な演出が求められる近年では、いわゆる光の三原色を用いた発光の表現では限界があることから、より個々の色の発色が良く、かつ、発光の表現のバリエーションも豊富な発光体の開発が求められていた。
【先行技術文献】
【特許文献】
【０００６】
【特許文献１】特開２０００−９０７０２号公報
【発明の概要】
【発明が解決しようとする課題】
【０００７】
本発明の目的は、上記要求に鑑み、従来よりも個々の色の発色が良く、かつ、発光の表現のバリエーションも豊富な発光体を提供することにある。
【課題を解決するための手段】
【０００８】
本発明の発光体は、筒状の胴体部分、および、該胴体部分と連結し、利用者が保持するための保持部分を備える発光体であって、発光体は、内部に、光を放射する発光部と、発光部の発光条件を制御する制御部と、発光部および制御部に電力を供給する電源部とを有し、発光部は、赤色の光を放射する第１の発光ダイオードと、青色の光を放射する第２の発光ダイオードと、緑色の光を放射する第３の発光ダイオードと、白色の光を放射する第４の発光ダイオードとを含むことを特徴とする。
【０００９】
上記制御部は、第１の発光ダイオード、第２の発光ダイオード、第３の発光ダイオードおよび第４の発光ダイオードの各々のＯＮ／ＯＦＦおよび発光パターンを制御することができる。
【００１０】
上記制御部は、さらに、第４の発光ダイオードの照度を調整することができる。
【００１１】
上記胴体部分は、保持部分と連結される側とは反対側に、発光部が放射する光を遮蔽するヘッド部を有し、ヘッド部は、発光部が放射する光を透過する、図形形状からなる切り込み部を有することを特徴とする。
【００１２】
上記胴体部分は、内部に、装飾シートを備えることができる。
【００１３】
上記胴体部分は、保持部分から着脱可能とすることができる。
【００１４】
上記保持部分は、外部に、制御部に対して、発光条件の切り替え指示を与える指示部を備えることができる。
【００１５】
上記保持部分は、内部に、発光部が発する熱を散熱する散熱部を有することができる。
【００１６】
上記保持部分は、外部に、散熱部に通じるように配設された孔部を有することができる。
【００１７】
上記第４の発光ダイオードは、蛍光体方式で白色を表現する発光ダイオードとすることができる。
【図面の簡単な説明】
【００１８】
【図１】本発明の実施形態に従う発光体の正面図
【図２】本発明の実施形態に従う発光体の背面図
【図３】本発明の実施形態に従う発光体の右側面図
【図４】本発明の実施形態に従う発光体の右側面断面図
【図５】本発明の実施形態に従う発光体の平面断面図
【図６】本発明の実施形態に従う発光体の平面図
【図７】本発明の実施形態に従う発光体の底面図
【図８】本発明の実施形態に従う発光体の分解図
【図９】本発明のその他の実施形態に係る棒状ライトの正面図
【図１０】本発明のその他の実施形態に係る棒状ライトの背面の断面図
【図１１】本発明のその他の実施形態に係る棒状ライトの背面図
【図１２】本発明のその他の実施形態に係る棒状ライトの側面図
【図１３】本発明のその他の実施形態に係る棒状ライトの底面図
【図１４】本発明のその他の実施形態に係る棒状ライトの上面図
【図１５】本発明のその他の実施形態に係る指示部の概略図
【図１６】本発明のその他の実施形態に係る棒状ライトの発光に関する通常使用モードの例を示した図
【図１７】本発明のその他の実施形態に係る棒状ライトの発光に関するメモリーモードの例を示した図
【図１８】本発明のその他の実施形態に係る保持部分の断面を示した斜視図
【発明を実施するための形態】
【００１９】
本発明の発光体の実施形態について、図１〜図８を参照しながら詳細に説明する。
なお、以下、本発明の発光体が棒状のライトである場合について説明を行うが、これに限られるものではなく、本発明の発光体は、ペンダントや指輪、腕輪等の、暗所でのイベントで用いることが可能なあらゆる形態とすることもできる。
【００２０】
図１〜３は、それぞれ、本発明の発光体の一例を示す正面図、背面図、右側面図である。図１〜３に示すように、本発明の発光体１００は、筒状の胴体部分１０１、および、該胴体部分１０１と連結し、利用者が保持するための保持部分１０２を備える。
【００２１】
上記胴体部分１０１は、透過性を有するものとし、例えば、半透明のプラスチックやガラス等で構成されることができる。
【００２２】
上記保持部分１０２は、利用者が保持するためのものとし、例えば、透過性を有さないプラスチック等で構成されることができる。
【００２３】
図４は、本発明の発光体の一例を示す右側面の断面図である。図４に示すように、本発明の発光体１００は、光を放射する発光部１０３と、発光部１０３の発光条件を制御する制御部１０４と、発光部１０３および制御部１０４に電力を供給する電源部１０５とを有する。
【００２４】
上記制御部１０４は、制御回路を有するものとし、例えば、ＩＣチップ等の基板回路で構成されることができる。
【００２５】
上記電源部１０５は、例えば、乾電池やボタン電池等とするのが好ましいが、バッテリー等のように、外部電源と接続し、電源の供給を受けるものすることもできる。
【００２６】
図５は、本発明の発光体の発光部の一例を示す平面断面図である。図５に示すように、本発明の発光体１００は、発光部１０３が、赤色の光を放射する第１の発光ダイオード１と、青色の光を放射する第２の発光ダイオード２と、緑色の光を放射する第３の発光ダイオード３と、白色の光を放射する第４の発光ダイオード４とを含むことを特徴とする。
【００２７】
上記構成とすることにより、本発明は、従来よりも個々の色の発色が良く、かつ、発光の表現のバリエーションも豊富な発光体を提供することができる。従来の発光体では、光の三原色の混合や、補色関係にある２色の混合により白色を表現していたが、本発明の発光体は、発光部１０３が、白色の光を放射する第４の発光ダイオード４を独立して備えることにより、従来よりも白色の発色が良く、かつ、多くの中間色を自在に表現することができるものである。
【００２８】
上記第１の発光ダイオード１としては、例えば、６６０ｎｍ付近をピーク波長とする赤色発光ダイオードを用いることができる。
【００２９】
上記第２の発光ダイオード２としては、例えば、４７０ｎｍ付近をピーク波長とする青色発光ダイオードを用いることができる。
【００３０】
上記第３の発光ダイオード３としては、例えば、５２５ｎｍ付近をピーク波長とする緑色発光ダイオードを用いることができる。
【００３１】
上記第４の発光ダイオード４としては、例えば、蛍光体方式で白色を表現する発光ダイオードを用いるのが好ましい。蛍光体方式とは、青またはそれよりも波長の短い発光ダイオードと蛍光体とを組み合わせることにより白色を表現する方式であり、発光ダイオードのチップを蛍光体で覆い、これを点灯させると、蛍光による光と蛍光体を透過した光の混合が得られ、蛍光波長や蛍光体の厚さなどを調整することで白色光を得ることが出来るものである。
【００３２】
上記制御部１０４は、発光部１０３の発光条件として、第１の発光ダイオード１、第２の発光ダイオード２、第３の発光ダイオード３および第４の発光ダイオード４の各々のＯＮ／ＯＦＦおよび発光パターンを制御することができる。発光パターンには、色の切り替えや、点滅等による表現が含まれる。
【００３３】
上記制御部１０４は、さらに、第４の発光ダイオード４の照度を調整することができる。かかる構成を有することにより、発光の表現のバリエーションをより増やすことができる。
【００３４】
また、図６に示すように、胴体部分１０１は、保持部分１０２と連結される側とは反対側に、発光部１０３が放射する光を遮蔽するヘッド部１０６を有し、ヘッド部１０６は、発光部１０３が放射する光を透過する、図形形状からなる切り込み部１０７を有することができる。
【００３５】
上記切り込み部１０７は、線状の図形形状からなり、ヘッド部１０６へ照射された光が透過可能な箇所をいうものとする。切り込み部１０７は、星や王冠のような図形や、文字とすることができる。ただし、切り込み部１０７は、光の照度を十分に抑えられる程度の幅であることが望ましい。かかる構成を有することにより、発光の照度を抑えつつ、ヘッド部１０６上に文字や図形を浮かび上がらせることが可能になる。
【００３６】
上記ヘッド部１０６は、例えばアルミ等の金属片により構成されることができる。
【００３７】
また、図４に示したように、上記胴体部分１０１は、内部に、装飾シート１０８を備えることができる。
【００３８】
上記装飾シート１０８とは、特定の波長の光が透過可能なシートのことをいう。発光部１０３から発光された特定の波長の光を、この装飾シート１０８に透過させることで、光が色を有しているように見せる効果がある。また、装飾シート１０８は、表面に複数の凹凸を備え、光を乱反射させるものであってもよい。具体的には、セロファン、塩化ビニール、フィルム等が挙げられる。かかる構成を有することにより、胴体部分１０１の側面から発せられる光に装飾性を持たせることが可能になる。
【００３９】
上記胴体部分１０１は、保持部分１０２から着脱可能とすることができる。具体的には、胴体部分１０１は、下端の外周部に切り込みを有し、同様に、保持部分１０２は上端の内周部に、上記胴体部分１０１の切り込みに対応した切り込みを有することができる。これによって、胴体部分１０１の下端を保持部分１０２に差し込んで回転させることで連結させることが可能になる。また、胴体部分１０１を連結時と逆方向に回転させることで保持部分１０２から取り外すことも可能である。かかる構成を有することにより、劣化した発光部１０３の取替えや切り込み部１０７の形状が異なるヘッド部１０６への取替えが容易に可能となる。
【００４０】
また、図７に示すように、保持部分１０２は、外部に、制御部１０４に対して、発光条件の切り替え指示を与える指示部１０９を備えることができる。例えば、指示部１０９を押す回数や時間に基づいて、発光部１０３の照度や色の切り替え制御を行うことができる。
【００４１】
また、図４に示したように、保持部分１０２は、内部に、発光部１０３が発する熱を散熱する散熱部１１０を有することができる。
【００４２】
そして、保持部分１０２は、外部に、散熱部１１０に通じるように配設された孔部１１１を有することができる。
【００４３】
また、図１等に示したように、保持部分１０２は、ストラップ留としてストラップ等を装着できるようなストラップホール１１２を有することができる。
【００４４】
また、図２等に示したように、保持部分１０２は、背面に、電源部１０５を取り外し可能な、電源蓋１１３を備えることができる。
【００４５】
図８は、本発明の実施形態に従う発光体１００の一例である棒状ライトを分解した状態を示した図である。
【００４６】
図８に示した例では、発光体１００は、胴体部分１０１および保持部分１０２（図では、正面側の保持部分１０２ｂおよび背面側の保持部分１０２ａで構成される）が連結した筒状の形状をしている。胴体部分１０１の内側に装飾シート１０８が挿入され、上端は、内蓋６で閉じられ、この内蓋６の上から、ヘッド部１０６が被せられ、固定されている。
【００４７】
また、胴体部分１０１は、固定具７に挿入され、保持部分１０２ａおよび保持部分１０２ｂに連結する。また、保持部分１０２ａおよび保持部分１０２ｂは、ネジ８、ネジ９およびネジ１０によって接続されている。
【００４８】
次に、保持部分１０２の内部構造について、詳細に説明する。
【００４９】
発光部１０３は、器具１１に接着されて凸面レンズ１２の内部に嵌め込まれる。この器具１１は、ネジ１３によって散熱部１１０に固定される。これによって、発光部１０３が下方に照射する光を、上方向に反射させることが可能になる。
【００５０】
凸面レンズ１２は、散熱部１１０の内部に設けられ、凸面レンズ固定具１４によって保持部分１０２に固定される。
【００５１】
また、制御部１０４は、ＩＣ１５を有し、ネジ１６およびネジ１７によって保持部分１０２に固定される。
【００５２】
指示部１０９は、保持部分１０２の下端に設けられ、内部にボタン１８、端子１９および基盤２０を有している。利用者が指示部１０９を押すと、ボタン１８を介して端子１９が押下され、この押下の回数等の情報が基盤２０に伝えられる。これら情報を基に、基盤２０は制御部１０４に発光条件の変更指示を与える。
【００５３】
電源部１０５は、金具２１、金具２２、金具２３、金具２４および金具２５を介して保持部分２０１と接続し、金具２６および金具２７によって固定されている。電源部１０５は電源蓋１１３を開くことで外部から取り外し可能な構造になっている。
【００５４】
続いて、本発明の発光体のその他の実施形態について、図９〜図１８を参照しながら詳細に説明する。
【００５５】
図９〜図１８に示す本発明のその他の実施形態に従う棒状ライト１１００は、筒状の胴体部分１１０１と、胴体部分１１０１の内部に設けられ、発光する発光部分１２０１と、胴体部分１１０１と連結し、手でつかむための保持部分１４０１と、保持部分１４０１の内部に設けられ、発光部１２０１に動力を供給する電源部分１５０１と、保持部分１４０１の底面に設けられた、発光部の発光条件を制御する２つのボタンを構成する指示部を有する。
【００５６】
胴体部分１１０１は、発光部１２０１の発光の様子が外から確認できるように透過性を有したものをいう。例えば、半透明のプラスチックやガラス等で構成されてもよい。本実施形態においてはプラスチックで構成されている。
【００５７】
また、胴体部分１１０１の先端に設けられたヘッド部１３０１は、発光部１２０１が発する光を遮蔽するものであり、例えばアルミ等の金属片を用いてもよい。本実施形態では、アルミ板で構成されている。
【００５８】
発光部１２０１は、電源部１５０１からの動力供給を受け発光するものをいう。具体的には、発光部１２０１が、赤色の光を放射する第１の発光ダイオードと、青色の光を放射する第２の発光ダイオードと、緑色の光を放射する第３の発光ダイオードと、白色の光を放射する第４の発光ダイオードとを含むことを特徴とする。
【００５９】
保持部分１４０１は、利用者が棒状ライト１１００をつかむための部位をいう。
【００６０】
電源部１５０１は、発光部１２０１に動力を供給するものをいう。具体的には、乾電池やボタン電池等が挙げられる。電源部１５０１は、前述の乾電池のように内部に電力を蓄えたものの方が望ましいが、例えばバッテリーのように、外部電源と接続し、電源の供給を受けるものとしてもよい。
【００６１】
図９は本実施形態に係る棒状ライト１１００の正面を示す図、図１０は本実施形態に係る棒状ライト１１００の側面からみた断面の様子を示す図、図１１は本実施形態に係る棒状ライト１１００の背面を示す図、図１２は本実施形態に係る棒状ライト１１００の側面を示す図、図１３は本実施形態に係る棒状ライト１１００の底面を示す図、図１４は、本実施形態に係る棒状ライト１１００の平面を示す図、図１５は本実施形態に係る指示部の概略図である。
【００６２】
本実施形態において、棒状ライト１１００は、図９に示すように、胴体部分１１０１の上端にヘッド部１３０１を備えている。また胴体部分１１０１は、下端で保持部分１４０１と連結している。さらに、保持部分１４０１は、ストラップ留１４０３としてストラップ等を装着できるような突起物を有し、図１０に示すように内部に電源部１５０１を備えている。また、棒状ライト１１００は、リフレクター１１３７、アルミブロック１１３２を備えている。
【００６３】
また、本実施形態において、保持部分１４０１は、図１１および図１２に示すように背面に電源部１５０１を外部から取り外し可能な、電源蓋１４５１を備えている。
【００６４】
また、ヘッド部１３０１は、光を一部透過させる、図形形状からなる切り込み部を有する構成としてもよい。具体的には、切り込み部は、線状の図形形状であり、ヘッド部１３０１へ照射された光が透過可能な箇所をいう。切り込み部は、星や王冠のような図形や、文字としてもよい。ただし、切り込み部は照度を十分に抑えられる程度の幅であることが望ましい。
【００６５】
また、胴体部分１１０１は、更に、内側に装飾シートを備えてもよい。装飾シートは、特定の波長の光が透過可能なシートのことをいう。発光部１２０１から発光された特定の波長の光を、該装飾シートに透過させることで、光が色を有しているように見せる効果がある。また、装飾シートは、表面に複数の凹凸を備え、光を乱反射させるものであってもよい。具体的には、セロファン、塩化ビニール、フィルム等が挙げられる。
【００６６】
本実施形態において、装飾シートは胴体部分１１０１の内側に沿うように配置されている。
【００６７】
また、胴体部分１１０１は、保持部分１４０１から着脱可能な構成としてもよい。
【００６８】
本実施形態においては、胴体部分１１０１は下端の外周部に、保持部分１４０１は上端の内周部にそれぞれ切り込みを有している。これによって、胴体部分１１０１の下端を保持部分１４０１に差し込んで回転させることで連結させることが可能になる。また、胴体部分１１０１を連結時と逆方向に回転させることで保持部分１４０１から取り外すことも可能である。
【００６９】
保持部分１４０１は、更に、発光部１２０１の発光条件を制御する制御部を備える。制御部は、図１０または図１８に示すように、基盤１１３０、１１４０、１１２９のいずれかの中に搭載したものである。以下、制御部は、基盤１１３２に搭載されたものであることを例に説明する。
【００７０】
制御部は、制御回路を有したものをいい、具体的にはＣＰＵやＩＣチップ等の基盤回路が挙げられる。制御部では発光部１２０１の発光条件として、例えば発光部１２０１の照度、点滅速度、点滅色、発光させる色の種類（赤、オレンジ、黄色、青、白）、発光させる色の順番等を制御する。
【００７１】
保持部分１４０１は、更に、制御部に対して、発光条件の切り替え指示を与える指示部を有する。指示部は、発光部の発光条件を制御するものである。指示部は２つ以上のボタンにより構成されるものである。具体的には、指示部は、ボタン１１２０、ボタン１１２１により構成される。また、指示部全体は円形であり、２つのボタンはそれぞれ半円であってもよい。
【００７２】
棒状ライト１１００は、図１６に示すようにボタン１１２０（以下、ボタンＡ）およびボタン１１２１（以下、ボタンＢ）を押す回数や長さによって、発光部２０１の発光条件を切り替えように制御部に指示するものである。図１６は、棒状ライト１１００の発光に関する通常使用モードの例を示すものであり、図１７は、棒状ライト１００の発光に関するメモリーモードの例を示すものである。
【００７３】
通常使用モードは、図１８に示すように、共通したデフォルト設定、カスタム設定したものとなる。ボタンＡおよびボタンＢを同時に押すと、０．５秒でスイッチが入り、消灯時の色で点灯する。また、ボタンＡおよびボタンＢを１秒押し続けると♯１（初期設定の色、例えば白色）色で点灯する。ボタンＡのみを押した場合、予め設定された色の順番に色が変化する。また、ボタンＢのみを押した場合、色の順番が逆送りで変化する。また、あらためてボタンＡおよびＢを同時に０．５秒押すとスイッチがＯＦＦになる。
【００７４】
メモリーモードは、図１７に示すように、デフォルト設定を変更し、使用できる色種、色順をカスタム設定できる。ボタンＡおよびボタンＢを同時に５秒間押し続けると、設定モードを開始する。また、ボタンＡのみを押した場合、色の順番送りを可能とする。また、ボタンＢのみを押した場合、色を選択できる。また、あらためてボタンＡおよびＢを同時に０．５秒押すと設定モードが終了する。
【００７５】
棒状ライト１１００は、胴体部分１１０１、保持部分１４０１が連結した筒状の形状をしている。胴体部分１１０１の内側に装飾シートが挿入され、上端は、内蓋で閉じられ、該内蓋の上から、ヘッド部１３０１が被せられ、固定されている。
【００７６】
また、胴体部分１１０１は、固定具に挿入され、保持部分に連結する。また、保持部分１４０１は、ネジによって接続している。
【００７７】
次に、保持部分１４０１の内部構造について、説明する。
【００７８】
発光部１２０１は、器具がネジによって固定され、凸面鏡１１３８の内部に設けられる。これによって、発光部１２０１が下方に照射する光を、上方向に反射させることが可能になる。
【００７９】
凸面鏡１１３８は、散熱器具の内部に設けられ、凸面鏡固定具によって保持部分１４０１に固定される。保持部分１４０１には、熱を拡散するための通気孔１１５１が設けられる。
【００８０】
また、制御部は、ＩＣを有し、ネジによって保持部分１４０１に固定される。
【００８１】
指示部は、保持部分１４０１の底に設けられ、ボタンＡおよびＢを有している。利用者がボタンＡまたは／およびＢを押すと、ボタンを介して端子が押下され、該押下の回数等の情報が基盤に伝えられる。該情報をもとに基盤は制御部に発光条件の変更指示を与える。
【００８２】
電源部１５０１は、金具を介して保持部分１４０１と接続し、金具によって固定されている。電源部１５０１は電源蓋１４５１を開くことで外部から取り外し可能な構造になっている。
【００８３】
本発明に係る棒状ライト１１００は、保持部分１４０１の底面に設けられた、発光部の発光条件を制御する２つのボタンを構成する指示部を有する際には、多様な色変化を可能とする発光制御を行うものであって、ユーザの誤操作を抑止することができる。
【００８４】
また、ヘッド部１３０１は、光を一部透過させる、図形形状からなる切り込み部を備える際においては、発光の照度を抑えつつ文字や図形を浮かび上がらせることが可能になる。
【００８５】
また、胴体部分１１０１は、更に、内側に装飾シートを備える際においては、胴体部分１１０１の側面から発せられる光に装飾性を持たせることが可能になる。
【００８６】
また、胴体部分１１０１は、保持部分１４０１から着脱可能である際においては、劣化した発光部１２０１の取替えや切り込み部の形状が異なるヘッド部１３０１への取替えが容易に可能となる。
【００８７】
また、保持部分１４０１は、更に、発光部１２０１の発光条件を制御する制御部を備える際においては、より多くの発光パターンを実現可能になる。
【００８８】
以上、本発明の実施の形態を説明したが、上記に記載した実施の形態は特許請求の範囲に係る発明を限定するものではない。また、実施の形態の中で説明した特徴の組合せのすべてが発明の課題を解決するための手段に必須であるとは限らない点に留意すべきである。
【符号の説明】
【００８９】
１００  発光体
１０１  胴体部分
１０２  保持部分
１０３  発光部
１０４  制御部
１０５  電源部
１０６  ヘッド部
１０７  切り込み部
１０８  装飾シート
１０９  指示部
１１０  散熱部
１１１  孔部
１１２  ストラップホール
１１３  電源蓋
【図１】
2020123576.tif 000003
【図２】
2020123576.tif 000004
【図３】
2020123576.tif 000005
【図４】
2020123576.tif 000006
【図５】
2020123576.tif 000007
【図６】
2020123576.tif 000008
【図７】
2020123576.tif 000009
【図８】
2020123576.tif 000010
【図９】
2020123576.tif 000011
【図１０】
2020123576.tif 000012
【図１１】
2020123576.tif 000013
【図１２】
2020123576.tif 000014
【図１３】
2020123576.tif 000015
【図１４】
2020123576.tif 000016
【図１５】
2020123576.tif 000017
【図１６】
2020123576.tif 000018
【図１７】
2020123576.tif 000019
【図１８】
2020123576.tif 000020
【手続補正書】
【提出日】令和2年4月30日(2020.4.30)
【手続補正１】
【補正対象書類名】特許請求の範囲
【補正対象項目名】全文
【補正方法】変更
【補正の内容】
【特許請求の範囲】
【請求項１】
筒状の胴体部分、および、該胴体部分と連結し、利用者が保持するための保持部分を備える棒状ライトであって、
赤色の光を放射する第１の発光ダイオードと、青色の光を放射する第２の発光ダイオードと、緑色の光を放射する第３の発光ダイオードと、白色の光を放射する第４の発光ダイオードとを備え、それぞれが、光を放射する発光部と、
少なくとも前記発光部に電力を供給する電源部と、
前記保持部分は、前記発光部の発光条件の切替え指示を行う、前記保持部分の底面に設けられ、かつ全体で円形である２つのボタンで構成されるとともに、利用者に押される回数や長さによって、前記発光部の発光条件を切替えるように指示可能である、半円形である指示部を備え、
前記発光条件とは、前記第１の発光ダイオード、前記第２の発光ダイオード、前記第３の発光ダイオード、および前記第４の発光ダイオードいずれかを初期設定の色として発光可能とする棒状ライト。
【請求項２】
前記指示部を構成する前記２つのボタンのうち、一のボタンが押されると予め設定された色の順番に沿って発光色を変化させ、他のボタンが押されると前記予め設定された色の順番を逆送りにして発光色を変化させる請求項１に記載の棒状ライト。
【請求項３】
前記予め設定された色の順番を、使用者が指定する新たな色の順番にカスタム設定する設定モードを備え、
前記指示部を構成する前記２つのボタンの両方が５秒以上押されると、前記設定モードとなることを特徴とする請求項２に記載の棒状ライト。
【請求項４】
前記予め設定された色の順番を、使用者が指定する新たな色の順番にカスタム設定する設定モードを備え、
前記設定モードにおいて、前記指示部を構成する前記２つのボタンのうち、一のボタンが押されると、予め設定された色の順番に沿って発光色を変化させ、他のボタンが押されると、直近の発光色を、前記新たな色の順番のひとつとして設定することを特徴とする請求項２又は３に記載の棒状ライト。
【請求項５】
さらに、前記第４の発光ダイオードの照度を調整することを特徴とする請求項１〜４のいずれか一項に記載の棒状ライト。
【請求項６】
前記胴体部分は、前記保持部分と連結される側とは反対側に、前記発光部が放射する光を遮蔽するヘッド部を有し、
前記ヘッド部は、前記発光部が放射する光を透過する、図形形状からなる切り込み部を有することを特徴とする請求項１〜５のいずれか一項に記載の棒状ライト。
【請求項７】
前記胴体部分は、内部に、装飾シートを備えることを特徴とする請求項１〜６のいずれか一項に記載の棒状ライト。
【請求項８】
前記胴体部分は、前記保持部分から着脱可能であることを特徴とする請求項１〜７のいずれか一項に記載の棒状ライト。
【請求項９】
前記保持部分は、内部に、前記発光部が発する熱を散熱する散熱部を有することを特徴とする請求項１〜８のいずれか一項に記載の棒状ライト。
【請求項１０】
前記保持部分は、外部に、前記散熱部に通じるように配設された孔部を有することを特徴とする請求項９に記載の棒状ライト。
【請求項１１】
前記第４の発光ダイオードは、蛍光体方式で白色を表現する発光ダイオードである請求項１〜１０のいずれか一項に記載の棒状ライト。